(57)【要約】【課題】メモリー容量を出来る限り少なくすること。【解決手段】移動機構によって第１ノズル列を移動方向に移動させながら、第１ノズル列の中の所定方向の下流側に位置する一部のノズルである第１ノズルからインクを噴射させる画像形成動作と搬送機構によって媒体を所定方向に所定の搬送量を搬送させる搬送動作とを繰り返して画像を印刷する第１モードと、第１ノズルと第２ノズル列に属するノズルであって第１ノズルよりも所定方向の上流側に位置するノズルである第２ノズルからインクを噴射させる画像形成動作と搬送機構によって媒体を所定方向に所定の搬送量を搬送させる搬送動作とを繰り返し、第２のインクによる画像上に第１のインクによる画像を印刷する第２モードと、の何れかを選択し、前記第１モードにて画像を印刷する画像データの中の前記第１ノズルに関する画像データと、前記第２モードにて画像を印刷する画像データの中の前記第１ノズルに関する画像データとを、共通の前記補正値に基づいて、前記列領域に対応するデータごとに補正する印刷装置。【選択図】図１４
2011051110.tif 000002
【特許請求の範囲】
【請求項１】
（Ａ）第１のインクを噴射するノズルが所定方向に並んだ第１ノズル列と、
（Ｂ）第２のインクを噴射するノズルが前記所定方向に並んだ第２ノズル列と、
（Ｃ）前記第１ノズル列及び前記第２ノズル列を媒体に対して前記所定方向と交差する移
動方向に移動する移動機構と、
（Ｄ）前記第１ノズル列及び前記第２ノズル列に対して媒体を前記所定方向に搬送する搬
送機構と、
（Ｅ）前記移動方向に沿うドット列を形成する媒体上の領域である列領域ごとに設定され
た補正値を記憶する記憶部と、
（Ｆ）前記移動機構によって前記第１ノズル列を前記移動方向に移動させながら、前記第
１ノズル列の中の前記所定方向の下流側に位置する一部のノズルである第１ノズルからイ
ンクを噴射させる画像形成動作と、前記搬送機構によって媒体を前記所定方向に所定の搬
送量を搬送させる搬送動作と、を繰り返して画像を印刷する第１モードと、
前記移動機構によって前記第１ノズル列及び前記第２ノズル列を前記移動方向に移
動させながら、前記第１ノズルと、前記第２ノズル列に属するノズルであって前記第１ノ
ズルよりも前記所定方向の上流側に位置するノズルである第２ノズルからインクを噴射さ
せる画像形成動作と、前記搬送機構によって媒体を前記所定方向に前記所定の搬送量を搬
送させる搬送動作と、を繰り返し、前記第２のインクによる画像上に前記第１のインクに
よる画像を印刷する第２モードと、の何れかを選択して、実行する制御部であって、
前記第１モードにて画像を印刷する画像データの中の前記第１ノズルに関する画像
データと、前記第２モードにて画像を印刷する画像データの中の前記第１ノズルに関する
画像データとを、共通の前記補正値に基づいて、前記列領域に対応するデータごとに補正
する制御部と、
（Ｇ）を有することを特徴とする印刷装置。
【請求項２】
請求項１に記載の印刷装置であって、
前記第１モードにて画像を印刷する画像データの中の前記第１ノズルに関する画像デー
タを補正する前記補正値に、第１係数を乗算した補正値によって、前記第２モードにて画
像を印刷する画像データの中の前記第１ノズルに関する画像データを補正する、
印刷装置。
【請求項３】
請求項１または請求項２に記載の印刷装置であって、
前記第１ノズルに関する画像データを補正する共通の前記補正値は、前記第１モードの
前記第１ノズルによって媒体上に形成されたパターンと、前記第２モードの前記第１ノズ
ルによって前記第２のインクによる画像上に形成されたパターンと、に基づいて算出され
た補正値である、
印刷装置。
【請求項４】
請求項１から請求項３のいずれか一項に記載の印刷装置であって、
前記制御部は、
前記第１モードと、
前記第２モードと、
前記移動機構によって前記第１ノズル列を前記移動方向に移動させながら、前記第１
ノズル列の中の前記所定方向の上流側に位置する一部のノズルである第３ノズルからイン
クを噴射させる画像形成動作と、前記搬送機構によって媒体を前記所定方向に所定の搬送
量を搬送させる搬送動作と、を繰り返して画像を印刷する第３モードと、
前記移動機構によって前記第１ノズル列及び前記第２ノズル列を前記移動方向に移動
させながら、前記第３ノズルと、前記第２ノズル列に属するノズルであって前記第３ノズ
ルよりも前記所定方向の下流側に位置するノズルである第４ノズルからインクを噴射させ
る画像形成動作と、前記搬送機構によって媒体を前記所定方向に前記所定の搬送量を搬送
させる搬送動作と、を繰り返し、前記第１のインクによる画像上に前記第２のインクによ
る画像を印刷する第４モードと、
の何れかを選択して、実行し、
前記第３モードにて画像を印刷する画像データの中の前記第３ノズルに関する画像デ
ータと、前記第４モードにて画像を印刷する画像データの中の前記第３ノズルに関する画
像データとを、共通の前記補正値に基づいて、前記列領域に対応するデータごとに補正す
る、
印刷装置。
【請求項５】
請求項１から請求項４のいずれか一項に記載の印刷装置であって、
前記画像を形成する媒体の種類に応じた第２係数を前記補正値に乗算し、
前記第２係数を乗算した補正値によって前記画像データを補正する、
印刷装置。
【請求項６】
請求項１から請求項５のいずれか一項に記載の印刷装置であって、
前記記憶部は、前記画像データの示す複数の階調値にそれぞれ対応した前記補正値を記
憶する、
印刷装置。
【請求項７】
（Ａ）第１のインクを噴射するノズルが所定方向に並んだ第１ノズル列と、
（Ｂ）第２のインクを噴射するノズルが前記所定方向に並んだ第２ノズル列と、
（Ｃ）前記第１ノズル列及び前記第２ノズル列を媒体に対して前記所定方向と交差する移
動方向に移動する移動機構と、
（Ｄ）前記第１ノズル列及び前記第２ノズル列に対して媒体を前記所定方向に搬送する搬
送機構と、
（Ｅ）前記移動方向に沿うドット列を形成する媒体上の領域である列領域ごとに設定され
た補正値を記憶する記憶部と、
（Ｆ）前記移動機構によって前記第１ノズル列を前記移動方向に移動させながら、前記第
１ノズル列の中の前記所定方向の上流側に位置する一部のノズルである第３ノズルからイ
ンクを噴射させる画像形成動作と、前記搬送機構によって媒体を前記所定方向に所定の搬
送量を搬送させる搬送動作と、を繰り返して画像を印刷する第３モードと、
前記移動機構によって前記第１ノズル列及び前記第２ノズル列を前記移動方向に移動
させながら、前記第３ノズルと、前記第２ノズル列に属するノズルであって前記第３ノズ
ルよりも前記所定方向の下流側に位置するノズルである第４ノズルからインクを噴射させ
る画像形成動作と、前記搬送機構によって媒体を前記所定方向に前記所定の搬送量を搬送
させる搬送動作と、を繰り返し、前記第１のインクによる画像上に前記第２のインクによ
る画像を印刷する第４モードと、の何れかを選択して、実行する制御部であって、
前記第３モードにて画像を印刷する画像データの中の前記第３ノズルに関する画像デ
ータと、前記第４モードにて画像を印刷する画像データの中の前記第３ノズルに関する画
像データとを、共通の前記補正値に基づいて、前記列領域に対応するデータごとに補正す
る制御部と、
（Ｇ）を有することを特徴とする印刷装置。
【発明の詳細な説明】
【技術分野】
【０００１】
本発明は、印刷装置に関する。
【背景技術】
【０００２】
印刷装置の１つとして、紙や布、フィルムなどの各種媒体にノズルからインク（流体）
を噴射して印刷を行うインクジェットプリンター（以下、プリンター）がある。このよう
なプリンターでは、ノズルの加工精度の問題（インク噴射量のバラツキなど）により濃度
むらが発生する場合がある。また、例えば、あるノズルからのインク滴が飛行曲がりする
場合、そのノズルによって形成される画像片だけでなく、その画像片と隣接する画像片の
濃度にも影響を及ぼす。そのため、単にノズルに対応付けた補正値では濃度むらを抑制す
ることができない。
【０００３】
そこで、画像片が形成される媒体上の領域（以下、列領域）ごとに補正値を設定する方
法が提案されている（例えば、特許文献１を参照）。
【先行技術文献】
【特許文献】
【０００４】
【特許文献１】特開２００７−１１４１号公報
【発明の概要】
【発明が解決しようとする課題】
【０００５】
ところで、シアン、マゼンタ、イエロー等のカラーインクの他に、白色のインクを使用
するプリンターがある。このようなプリンターでは、媒体上に直接にカラー画像を印刷す
るモードや、媒体上に白インクの背景画像を先に印刷し、その背景画像上にカラー画像を
印刷するモード（表刷りモード）や、媒体上にカラー画像を先に印刷し、そのカラー画像
上に背景画像を印刷し、媒体側から画像を見る印刷物を印刷するモード（裏刷りモード）
を、実行することが可能である。ただし、全てのモードに対する補正値をプリンターのメ
モリーに記憶させると、メモリー容量が多くなってしまう。
【０００６】
そこで、本発明はメモリー容量を出来る限り少なくすることを目的とする。
【課題を解決するための手段】
【０００７】
前記課題を解決する為の主たる発明は、（Ａ）第１のインクを噴射するノズルが所定方
向に並んだ第１ノズル列と、（Ｂ）第２のインクを噴射するノズルが前記所定方向に並ん
だ第２ノズル列と、（Ｃ）前記第１ノズル列及び前記第２ノズル列を媒体に対して前記所
定方向と交差する移動方向に移動する移動機構と、（Ｄ）前記第１ノズル列及び前記第２
ノズル列に対して媒体を前記所定方向に搬送する搬送機構と、（Ｅ）前記移動方向に沿う
ドット列を形成する媒体上の領域である列領域ごとに設定された補正値を記憶する記憶部
と、（Ｆ）前記移動機構によって前記第１ノズル列を前記移動方向に移動させながら、前
記第１ノズル列の中の前記所定方向の下流側に位置する一部のノズルである第１ノズルか
らインクを噴射させる画像形成動作と、前記搬送機構によって媒体を前記所定方向に所定
の搬送量を搬送させる搬送動作と、を繰り返して画像を印刷する第１モードと、前記移動
機構によって前記第１ノズル列及び前記第２ノズル列を前記移動方向に移動させながら、
前記第１ノズルと、前記第２ノズル列に属するノズルであって前記第１ノズルよりも前記
所定方向の上流側に位置するノズルである第２ノズルからインクを噴射させる画像形成動
作と、前記搬送機構によって媒体を前記所定方向に前記所定の搬送量を搬送させる搬送動
作と、を繰り返し、前記第２のインクによる画像上に前記第１のインクによる画像を印刷
する第２モードと、の何れかを選択して、実行する制御部であって、前記第１モードにて
画像を印刷する画像データの中の前記第１ノズルに関する画像データと、前記第２モード
にて画像を印刷する画像データの中の前記第１ノズルに関する画像データとを、共通の前
記補正値に基づいて、前記列領域に対応するデータごとに補正する制御部と、（Ｇ）を有
することを特徴とする印刷装置である。  
本発明の他の特徴は、本明細書、及び添付図面の記載により、明らかにする。
【図面の簡単な説明】
【０００８】
【図１】プリンターの全体構成ブロック図である。
【図２】プリンターの斜視図である。
【図３】ヘッドの下面のノズル配列を示す図である。
【図４】通常カラーモードの印刷の様子を説明する図である。
【図５】通常カラーモードの印刷の様子を説明する図である。
【図６】表刷りモードの印刷の様子を説明する図である。
【図７】裏刷りモードの印刷の様子を説明する図である。
【図８】濃度むらを示す図である。
【図９】シアンのテストパターンを示す図である。
【図１０】シアンのテストパターンをスキャナーで読み取った結果である。
【図１１】図１１Ａ及び図１１Ｂは濃度むら補正値Ｈの具体的な算出方法を示す図である。
【図１２】補正値テーブルを示す図である。
【図１３】各階調値に対応した補正値を算出する様子を示す図である。
【図１４】印刷モードによって濃度むら補正値を共通化する様子を示す図である。
【図１５】通常カラーモードの比較例の印刷方法を示す図である。
【図１６】図１６Ａは印刷モードの違いによるカラー画像の下地の違いを示し、図１６Ｂは下地が異なることを考慮して共通化した濃度むら補正値を示す表である。
【図１７】補正値に対する媒体の種類に応じた補正係数を示す図である。
【発明を実施するための形態】
【０００９】
＝＝＝開示の概要＝＝＝
本明細書の記載、及び添付図面の記載により、少なくとも次のことが明らかとなる。
【００１０】
即ち、（Ａ）第１のインクを噴射するノズルが所定方向に並んだ第１ノズル列と、（Ｂ
）第２のインクを噴射するノズルが前記所定方向に並んだ第２ノズル列と、（Ｃ）前記第
１ノズル列及び前記第２ノズル列を媒体に対して前記所定方向と交差する移動方向に移動
する移動機構と、（Ｄ）前記第１ノズル列及び前記第２ノズル列に対して媒体を前記所定
方向に搬送する搬送機構と、（Ｅ）前記移動方向に沿うドット列を形成する媒体上の領域
である列領域ごとに設定された補正値を記憶する記憶部と、（Ｆ）前記移動機構によって
前記第１ノズル列を前記移動方向に移動させながら、前記第１ノズル列の中の前記所定方
向の下流側に位置する一部のノズルである第１ノズルからインクを噴射させる画像形成動
作と、前記搬送機構によって媒体を前記所定方向に所定の搬送量を搬送させる搬送動作と
、を繰り返して画像を印刷する第１モードと、前記移動機構によって前記第１ノズル列及
び前記第２ノズル列を前記移動方向に移動させながら、前記第１ノズルと、前記第２ノズ
ル列に属するノズルであって前記第１ノズルよりも前記所定方向の上流側に位置するノズ
ルである第２ノズルからインクを噴射させる画像形成動作と、前記搬送機構によって媒体
を前記所定方向に前記所定の搬送量を搬送させる搬送動作と、を繰り返し、前記第２のイ
ンクによる画像上に前記第１のインクによる画像を印刷する第２モードと、の何れかを選
択して、実行する制御部であって、前記第１モードにて画像を印刷する画像データの中の
前記第１ノズルに関する画像データと、前記第２モードにて画像を印刷する画像データの
中の前記第１ノズルに関する画像データとを、共通の前記補正値に基づいて、前記列領域
に対応するデータごとに補正する制御部と、（Ｇ）を有することを特徴とする印刷装置で
ある。  
このような印刷装置によれば、記憶部に記憶する補正値の数を少なくすることができ、
記憶部の容量を少なくすることができる。
【００１１】
かかる印刷装置であって、前記第１モードにて画像を印刷する画像データの中の前記第
１ノズルに関する画像データを補正する前記補正値に、第１係数を乗算した補正値によっ
て、前記第２モードにて画像を印刷する画像データの中の前記第１ノズルに関する画像デ
ータを補正すること。  
このような印刷装置によれば、インク上（第２のインクによる画像上）に画像を形成す
る場合にも、媒体上に画像を形成する場合と同様に補正効果を得ることができる。
【００１２】
かかる印刷装置であって、前記第１ノズルに関する画像データを補正する共通の前記補
正値は、前記第１モードの前記第１ノズルによって媒体上に形成されたパターンと、前記
第２モードの前記第１ノズルによって前記第２のインクによる画像上に形成されたパター
ンと、に基づいて算出された補正値であること。  
このような印刷装置によれば、インク上（第２のインクによる画像上）に画像を形成す
る場合にも、媒体上に画像を形成する場合にも、同等の補正効果を得ることができる。
【００１３】
かかる印刷装置であって、前記制御部は、前記第１モードと、前記第２モードと、前記
移動機構によって前記第１ノズル列を前記移動方向に移動させながら、前記第１ノズル列
の中の前記所定方向の上流側に位置する一部のノズルである第３ノズルからインクを噴射
させる画像形成動作と、前記搬送機構によって媒体を前記所定方向に所定の搬送量を搬送
させる搬送動作と、を繰り返して画像を印刷する第３モードと、前記移動機構によって前
記第１ノズル列及び前記第２ノズル列を前記移動方向に移動させながら、前記第３ノズル
と、前記第２ノズル列に属するノズルであって前記第３ノズルよりも前記所定方向の下流
側に位置するノズルである第４ノズルからインクを噴射させる画像形成動作と、前記搬送
機構によって媒体を前記所定方向に前記所定の搬送量を搬送させる搬送動作と、を繰り返
し、前記第１のインクによる画像上に前記第２のインクによる画像を印刷する第４モード
と、の何れかを選択して、実行し、前記第３モードにて画像を印刷する画像データの中の
前記第３ノズルに関する画像データと、前記第４モードにて画像を印刷する画像データの
中の前記第３ノズルに関する画像データとを、共通の前記補正値に基づいて、前記列領域
に対応するデータごとに補正すること。  
このような印刷装置によれば、記憶部に記憶する補正値の数を少なくすることができ、
より記憶部の容量を少なくすることができる。
【００１４】
かかる印刷装置であって、前記画像を形成する媒体の種類に応じた第２係数を前記補正
値に乗算し、前記第２係数を乗算した補正値によって前記画像データを補正すること。  
このような印刷装置によれば、媒体の種類に関係なく、補正効果を得られる。
【００１５】
かかる印刷装置であって、前記記憶部は、前記画像データの示す複数の階調値にそれぞ
れ対応した前記補正値を記憶すること。  
このような印刷装置によれば、階調値ごとの補正値を多く記憶する場合であっても、記
憶部の容量を出来る限り抑えることができ、また、補正効果が高くなる。
【００１６】
また、（Ａ）第１のインクを噴射するノズルが所定方向に並んだ第１ノズル列と、（Ｂ
）第２のインクを噴射するノズルが前記所定方向に並んだ第２ノズル列と、（Ｃ）前記第
１ノズル列及び前記第２ノズル列を媒体に対して前記所定方向と交差する移動方向に移動
する移動機構と、（Ｄ）前記第１ノズル列及び前記第２ノズル列に対して媒体を前記所定
方向に搬送する搬送機構と、（Ｅ）前記移動方向に沿うドット列を形成する媒体上の領域
である列領域ごとに設定された補正値を記憶する記憶部と、（Ｆ）前記移動機構によって
前記第１ノズル列を前記移動方向に移動させながら、前記第１ノズル列の中の前記所定方
向の上流側に位置する一部のノズルである第３ノズルからインクを噴射させる画像形成動
作と、前記搬送機構によって媒体を前記所定方向に所定の搬送量を搬送させる搬送動作と
、を繰り返して画像を印刷する第３モードと、前記移動機構によって前記第１ノズル列及
び前記第２ノズル列を前記移動方向に移動させながら、前記第３ノズルと、前記第２ノズ
ル列に属するノズルであって前記第３ノズルよりも前記所定方向の下流側に位置するノズ
ルである第４ノズルからインクを噴射させる画像形成動作と、前記搬送機構によって媒体
を前記所定方向に前記所定の搬送量を搬送させる搬送動作と、を繰り返し、前記第１のイ
ンクによる画像上に前記第２のインクによる画像を印刷する第４モードと、の何れかを選
択して、実行する制御部であって、前記第３モードにて画像を印刷する画像データの中の
前記第３ノズルに関する画像データと、前記第４モードにて画像を印刷する画像データの
中の前記第３ノズルに関する画像データとを、共通の前記補正値に基づいて、前記列領域
に対応するデータごとに補正する制御部と、（Ｇ）を有することを特徴とする印刷装置で
ある。  
このような印刷装置によれば、記憶部に記憶する補正値の数を少なくすることができ、
記憶部の容量を少なくすることができる。
【００１７】
＝＝＝印刷システムについて＝＝＝
以下、インクジェットプリンター（以下、プリンター１）とコンピューター６０が接続
された印刷システムを例に挙げて実施形態を説明する。
【００１８】
図１は、プリンター１の全体構成ブロック図である。図２は、プリンター１の斜視図で
ある。外部装置であるコンピューター６０から印刷データを受信したプリンター１は、コ
ントローラー１０により、各ユニット（搬送ユニット２０、キャリッジユニット３０、ヘ
ッドユニット４０）を制御し、媒体Ｓ（用紙やフィルムなど）に画像を形成する。また、
プリンター１内の状況を検出器群５０が監視し、その検出結果に基づいて、コントローラ
ー１０は各ユニットを制御する。
【００１９】
コントローラー１０は、プリンター１の制御を行うための制御ユニットである。インタ
ーフェース部１１は、外部装置であるコンピューター６０とプリンター１との間でデータ
の送受信を行うためのものである。ＣＰＵ１２は、プリンター１全体の制御を行うための
演算処理装置である。メモリー１３（記憶部）は、ＣＰＵ１２のプログラムを格納する領
域や作業領域等を確保するためのものである。ＣＰＵ１２は、メモリー１３に格納されて
いるプログラムに従ったユニット制御回路１４により各ユニットを制御する。
【００２０】
搬送ユニット２０（搬送機構に相当）は、媒体Ｓを印刷可能な位置に送り込み、印刷時
には搬送方向（所定方向）に所定の搬送量で媒体Ｓを搬送させるものである。  
キャリッジユニット３０（移動機構に相当）は、ヘッド４１を搬送方向と交差する方向
（以下、移動方向）に移動させるためのものであり、キャリッジ３１を有する。
【００２１】
ヘッドユニット４０は、媒体Ｓにインクを噴射するためのものであり、ヘッド４１を有
する。ヘッド４１はキャリッジ３１によって移動方向に移動する。ヘッド４１の下面には
、インク噴射部であるノズルが複数設けられ、各ノズルには、インクが入ったインク室（
不図示）が設けられている。
【００２２】
図３は、ヘッド４１の下面のノズル配列を示す図である。ヘッド４１の下面には、１８
０個のノズルが搬送方向（所定方向）に所定の間隔（ノズルピッチｄ）で並んだノズル列
が５列形成されている。図示するように、ブラックインクを噴射するブラックノズル列Ｋ
・シアンインクを噴射するシアンノズル列Ｃ・マゼンタインクを噴射するマゼンタノズル
列Ｍ・イエローインクを噴射するイエローノズル列Ｙ・白インクを噴射するホワイトノズ
ル列Ｗが、移動方向に並んでいる。なお、各ノズル列が有する１８０個のノズルに対して
、搬送方向の下流側のノズルから順に小さい番号を付す（＃１〜＃１８０）。
【００２３】
このようなプリンター１では、移動方向に沿って移動するヘッド４１からインク滴を断
続的に噴射させて媒体上にドットを形成するドット形成処理（画像形成動作に相当）と、
媒体をヘッド４１に対して搬送方向に搬送する搬送処理（搬送動作に相当）とを繰り返す
。そうすることで、先のドット形成処理により形成されたドットの位置とは異なる媒体上
の位置にドットを形成することができ、媒体上に２次元の画像を印刷することができる。
なお、ヘッド４１がインク滴を噴射しながら移動方向に１回移動する動作（１回のドット
形成処理）を「パス」と呼ぶ。
【００２４】
＝＝＝印刷モードについて＝＝＝
本実施形態のプリンター１は３種類の印刷物を印刷可能とする。１つ目の印刷物は、媒
体上に直接に４色のインク（ＹＭＣＫ）によってカラー画像を印刷する印刷物である。２
つ目の印刷物は、まず媒体上に白インク（Ｗ）によって背景画像を印刷し、その後、背景
画像上に４色のインク（ＹＭＣＫ）によってカラー画像を印刷する印刷物であり、印刷面
側から画像を見る印刷物である。３つ目の印刷物は、まず透明の媒体上に４色のインク（
ＹＭＣＫ）によってカラー画像を印刷し、カラー画像上に白インク（Ｗ）によって背景画
像を印刷する印刷物であり、媒体側から画像を見る印刷物である。２つ目や３つ目の印刷
物のように、カラー画像の背面に白色の背景画像を設けると、発色性の良い画像を印刷す
ることができる。また、透明フィルム上にカラー画像を印刷する場合であっても、印刷物
の反対側が透けてしまうことを防止できる。
【００２５】
図４および図５は、媒体上に直接にカラー画像を印刷する「通常カラーモード」の印刷
の様子を説明する図である。図中では、説明の簡略のため、１ノズル列が有するノズル数
を減らして描く（＃１〜＃１８）。また、４色のノズル列（ＹＭＣＫ）をまとめて「カラ
ーノズル列Ｃｏ（第１ノズル列）」と呼び、カラーノズル列Ｃｏに属するノズルを「カラ
ーノズル」と呼び、ホワイトノズル列Ｗ（第２ノズル列）に属するノズルを「白ノズル」
と呼ぶ。カラーノズル列Ｃｏのノズルを丸で示し、ホワイトノズル列Ｗのノズルを三角で
示す。通常カラーモードでは、白ノズルを使用しないため、全白ノズルを点線で示す。本
実施形態の通常カラーモードでは、カラーノズル列Ｃｏに属する全ノズルは使用せず、一
部のカラーノズルを使用する。そのため、図示するように、使用しないカラーノズルは点
線で示し、使用するノズルは黒丸（●）で示す。使用するノズルとは、画像を形成するた
めにインク滴を噴射するノズルであり、以下、「噴射ノズル」とも呼ぶ。また、図中の右
図は、各パスにおける噴射ノズルの位置関係を示す図であり、ノズル内の数字はノズルの
番号（＃１〜＃１８）である。
【００２６】
本実施形態では、通常カラーモードを実行する際に、カラーノズル列Ｃｏに属するノズ
ル（＃１〜＃１８）のうちの半分のノズルだけを使用する。また、２種類の通常カラーモ
ード（第１通常カラーモード・第２通常カラーモード）を実行する。図４に示す「第１通
常カラーモード」では、カラーノズル列Ｃｏの搬送方向上流側の半分のノズル（＃１０〜
＃１８・第３ノズルに相当）を使用してカラー画像を印刷し、下流側半分のノズル（＃１
〜＃９・第１ノズルに相当）は使用しない。一方、図５に示す「第２通常カラーモード」
では、カラーノズル列Ｃｏの搬送方向下流側の半分のノズル（＃１〜＃９）を使用してカ
ラー画像を印刷し、上流側半分のノズル（＃１０〜＃１８）は使用しない。
【００２７】
また、ここでは、プリンター１が「オーバーラップ印刷」を実施するとした。オーバー
ラップ印刷とは、１つのラスターライン（移動方向に沿うドット列）を複数のパス（即ち
、複数のノズル）で形成する印刷方法である。そのため、各ノズルの特性の影響を小さく
でき、高画質な画像を印刷することができる。
【００２８】
そして、カラー画像を構成する各ラスターラインは、３種類のノズル（３回のパス）に
よって形成されるとした。図４の右図や図５の右図において、移動方向に並ぶノズルが、
１つのラスターラインを形成するためのノズルである。この図からも、１つのラスターラ
インを形成するノズル数が３個であることが分かる。そして、図４，図５に示す通常カラ
ーモードでは、カラー画像を形成するノズル数（噴射ノズル数）が「９個」であるため、
１回の搬送動作における媒体の搬送量は、３個のノズルにより形成される画像幅、即ち、
ノズルピッチｄの３倍の長さ「３ｄ」となる。なお、図中の１マス（ノズルが納まってい
るマス目）の搬送方向の長さはノズルピッチ「ｄ」に相当する。ゆえに、図４の右図およ
び図５の右図では、あるパスのノズル位置と次のパスのノズル位置が３マスずつずれてい
る。
【００２９】
つまり、通常カラーモードでは、カラーノズル列Ｃｏの半分のノズル（上流側ノズル又
は下流側ノズル）が移動方向に移動しながら画像を形成する動作（パス）と、媒体が搬送
方向に「搬送量３ｄ」を搬送される動作と、が交互に繰り返され、媒体上にカラー画像が
形成される。
【００３０】
２種類の通常カラーモードについて具体的に説明するため、媒体上にて搬送方向下流側
に形成されるラスターラインＬから順に小さい番号を付す。また、各ラスターラインが形
成される媒体上の領域（移動方向に沿う領域）を「列領域」と呼ぶ。例えば、搬送方向の
最下流側のラスターラインＬ１を形成する列領域を「１番目の列領域」と呼ぶ。
【００３１】
第１通常カラーモード（図４・第３モードに相当）では、パス１のノズル＃１６による
ドット位置が印刷開始位置となる。媒体上の或る領域は、最初に、噴射ノズル（＃１０〜
＃１８）のうちの搬送方向上流側のノズル（例えば＃１６〜＃１８）と対向し、カラー画
像を構成するドットを形成する。次の搬送動作によって、媒体上の或る領域は、噴射ノズ
ルのうちの中央のノズル（例えば＃１３〜＃１５）と対向し、ドットが形成され、更に次
の搬送動作によって、媒体上の或る領域は、噴射ノズルのうちの搬送方向下流側のノズル
（例えば＃１０〜＃１２）と対向し、ドットが形成される。こうすることで、媒体上の或
る領域には３回のパスでカラー画像が印刷される。
【００３２】
そして、図４の右図の太枠に示すように、３個の列領域ごとに、ラスターラインを形成
するノズルに規則性が生じている。例えば、１番目の列領域に形成されるラスターライン
Ｌ１はパス１のノズル＃１６とパス２のノズル＃１３とパス３のノズル＃１０によって完
成し、２番目の列領域に形成されるラスターラインＬ２はノズル＃１７，＃１４，＃１１
によって完成し、３番目の列領域に形成されるラスターラインＬ３はノズル＃１８，＃１
５，＃１２によって完成する。
【００３３】
この１〜３番目の列領域にそれぞれ割り当てられたノズルが、４番目以降の列領域に対
しても、３個の列領域ごとに割り当てられる。例えば、４番目の列領域には１番目の列領
域と同じノズル（＃１６，＃１３，＃１０）が割り当てられ、５番目の列領域には２番目
の列領域と同じノズル（＃１７，＃１４，＃１１）が割り当てられ、６番目の列領域には
３番目の列領域と同じノズル（＃１８，＃１５，＃１２）が割り当てられる。なお、図中
ではノズル数を減らして説明しているため、規則性の生じる列領域の数が３個と少ないが
、実際の印刷では規則性の生じる列領域の数がもっと多くなる。
【００３４】
また、規則性が生じているということは、列領域にラスターラインを形成するノズルが
同じであり、その列領域と隣接する列領域にラスターラインを形成するノズルも同じにな
るということである。例えば、図４の２番目の列領域と５番目の列領域は、同じノズル（
＃１７，＃１４，＃１１）によりラスターラインが形成されている。更に、２番目、５番
目の列領域にそれぞれ下流側に隣接する列領域（１番目、４番目の列領域）にラスターラ
インを形成するノズル（＃１６，＃１３，＃１０）も同じであり、２番目、５番目の列領
域にそれぞれ上流側に隣接する列領域（３番目、６番目の列領域）にラスターラインを形
成するノズル（＃１８，＃１５，＃１２）も同じである。
【００３５】
一方、第２通常カラーモード（図５・第１モードに相当）では、パス１のノズル＃７に
よるドット位置が印刷開始位置となる。媒体上の或る領域は、最初に、噴射ノズル（＃１
〜＃９）のうちの搬送方向上流側のノズル（例えば＃７〜＃９）と対向し、次の搬送動作
によって噴射ノズルのうちの中央のノズル（例えば＃４〜＃６）と対向し、更に次の搬送
動作によって噴射ノズルのうちの搬送方向下流側のノズル（例えば＃１〜＃３）と対向す
る。ゆえに、第２通常カラーモードにおいても、媒体上の或る領域に対して３回のパスで
カラー画像の印刷が完成する。そして、３個の列領域ごとに、ラスターラインを形成する
ノズルに規則性が生じる。図５の右図に示すように、ノズル＃７，＃４，＃１が割り当て
られる列領域（例：Ｌ１、Ｌ４…）と、ノズル＃８，＃５，＃２が割り当てられる列領域
（例：Ｌ２、Ｌ５…）と、ノズル＃９，＃６，＃３が割り当てられる列領域（例：Ｌ３、
Ｌ６…）が、順に並ぶことになる。
【００３６】
図６は、「表刷りモード」の印刷の様子を説明する図である。表刷りモード（第２モー
ドに相当）では、媒体上の或る領域に対して、まず背景画像を印刷し、その背景画像上に
後の異なるパスにてカラー画像を印刷する。そのため、表刷りモードでは、ホワイトノズ
ル列Ｗのうちの搬送方向上流側の半分のノズル（＃１０〜＃１８・第２ノズルに相当）を
噴射ノズル（▲）に設定し、カラーノズル列Ｃｏのうちの搬送方向下流側の半分のノズル
（＃１〜＃９・第１ノズルに相当）を噴射ノズル（●）に設定する。なお、図中の右図で
は、ホワイトノズル列Ｗの噴射ノズルと、カラーノズル列Ｃｏの噴射ノズルを同じ１つの
ノズル列に記載し、各パスにおける噴射ノズルの位置関係を示す。
【００３７】
また、表刷りモードにおいても、オーバーラップ印刷を実施し、背景画像およびカラー
画像をそれぞれ構成するラスターラインを、３回のパス（３種類のノズル）によって形成
する。各画像を形成するノズル数は「９個」であるため、１回の搬送動作における媒体の
搬送量はノズルピッチｄの３倍の長さ「３ｄ」となる。即ち、通常カラーモード（図４，
図５）の搬送量３ｄと表刷りモードの搬送量３ｄが等しい。
【００３８】
以上をまとめると、表刷りモードでは、ホワイトノズル列Ｗの上流側半分のノズルとカ
ラーノズル列Ｃｏの下流側半分のノズルによって画像を形成する動作と、媒体を搬送方向
に搬送量３ｄだけ搬送する動作と、が交互に繰り返される。その結果、媒体上の或る領域
はホワイトノズル列Ｗの上流側の噴射ノズル（＃１０〜＃１８）と３回のパスに亘って対
向し、背景画像が印刷される。その後、媒体上の或る領域は、搬送動作によって下流側に
搬送され、カラーノズル列Ｃｏの下流側の噴射ノズル（＃１〜＃９）と３回のパスに亘っ
て対向し、背景画像上にカラー画像を印刷することができる。
【００３９】
そのため、表刷りモードにおいても、通常カラーモードと同様に、図４の右図の太枠に
示すように、３個の列領域ごとに、ラスターラインを形成するノズルに規則性が生じてい
る。なお、ここでは、カラー画像を構成するラスターラインに着目する。例えば、１番目
の列領域には、パス１〜パス３で白ノズルにより背景画像用のラスターラインが形成され
た後、パス４のカラーノズル＃７とパス５のカラーノズル＃４とパス６のカラーノズル＃
１によりカラー画像用のラスターラインが形成される。２番目の列領域には３つのカラー
ノズル＃８，＃５，＃２によりカラー画像用のラスターラインが形成され、３番目の列領
域には３つのカラーノズル＃９，＃６，＃３によりカラー画像用のラスターラインが形成
される。
【００４０】
そして、この１〜３番目の列領域にそれぞれ割り当てられたノズルが、４番目以降の列
領域に対しても、３個の列領域ごとに割り当てられる。即ち、カラーノズル＃７，＃４，
＃１により形成されたカラー画像用のラスターラインと、カラーノズル＃８，＃５，＃２
により形成されたカラー画像用のラスターラインと、カラーノズル＃９，＃６，＃３によ
り形成されたカラー画像用のラスターラインが、搬送方向に並ぶことになる。
【００４１】
図７は、「裏刷りモード」の印刷の様子を説明する図である。裏刷りモード（第４モー
ドに相当）では、媒体上の或る領域に対して、先にカラー画像を印刷し、そのカラー画像
上に後の異なるパスにて背景画像を印刷する。そのため、裏刷りモードでは、ホワイトノ
ズル列Ｗのうちの搬送方向下流側の半分のノズル（＃１〜＃９・第４ノズルに相当）を噴
射ノズル（▲）に設定し、カラーノズル列Ｃｏのうちの搬送方向上流側の半分のノズル（
＃１０〜＃１８・第３ノズルに相当）を噴射ノズル（●）に設定する。
【００４２】
また、裏刷りモードにおいても、オーバーラップ印刷を実施し、カラー画像および背景
画像をそれぞれ構成するラスターラインを、３回のパス（３種類のノズル）によって形成
する。各画像を形成するノズル数は「９個」であるため、１回の搬送動作における媒体の
搬送量はノズルピッチｄの３倍の長さ「３ｄ」となる。即ち、全てのモードの搬送量３ｄ
が等しい。
【００４３】
裏刷りモードでは、ホワイトノズル列Ｗの下流側半分のノズルとカラーノズル列Ｃｏの
上流側半分のノズルによって画像を形成する動作と、媒体を搬送方向に搬送量３ｄだけ搬
送する動作と、が交互に繰り返される。その結果、媒体上の或る領域はまずカラーノズル
列Ｃｏの上流側の噴射ノズル（＃１０〜＃１８）と３回のパスに亘って対向し、カラー画
像が印刷される。その後、媒体上の或る領域は、搬送動作によって下流側に搬送され、ホ
ワイトノズル列Ｗの下流側の噴射ノズル（＃１〜＃９）と３回のパスに亘って対向し、カ
ラー画像上に背景画像を印刷することができる。
【００４４】
そのため、裏刷りモードにおいても、図７の右図の太枠に示すように、３個の列領域ご
とに、背景画像用のラスターラインを形成するカラーノズルに規則性が生じている。例え
ば、１番目の列領域には、パス１のカラーノズル＃１６とパス２のカラーノズル＃１３と
パス３のカラーノズル＃１０によりカラー画像用のラスターラインが形成された後、パス
４〜パス６にて白ノズルにより背景画像が形成される。２番目の列領域には３つのカラー
ノズル＃１７，＃１４，＃１１によりカラー画像用のラスターラインが形成され、３番目
の列領域には３つのカラーノズル＃１８，＃１５，＃１２によりカラー画像用のラスター
ラインが形成される。
【００４５】
そして、この１〜３番目の列領域にそれぞれ割り当てられたノズルが、４番目以降の列
領域に対しても、３個の列領域ごとに割り当てられる。即ち、カラーノズル＃１６，＃１
３，＃１０により形成されたカラー画像用のラスターラインと、カラーノズル＃１７，＃
１４，＃１１により形成されたカラー画像用のラスターラインと、カラーノズル＃１８，
＃１５，＃１２により形成されたカラー画像用のラスターラインが、搬送方向に並ぶこと
になる。
【００４６】
このように、本実施形態のプリンター１では、図４〜図７に示すように、全ての印刷モ
ードにおいて、カラーノズル列Ｃｏに属するノズルのうちの半分のノズルを使用してカラ
ー画像を印刷する。
【００４７】
ところで、カラー画像と共に背景画像を印刷するモード（表刷りモード・裏刷りモード
）では、カラーノズル列Ｃｏに属するノズルのうち、下流側半分のノズル（＃１〜＃９）
を使用するか、または、上流側半分のノズル（＃１０〜＃１８）を使用するかが、決定し
てしまう。これに対して、媒体にカラー画像のみを印刷する場合には、カラーノズル列Ｃ
ｏの下流側半分のノズルを使用するか、それとも上流側半分のノズルを使用するかを、選
択することができる。即ち、第１通常カラーモードと第２通常カラーモードを選択するこ
とができる。
【００４８】
そこで、不良ノズル検査（インクを噴射するように指令を出しても正常にインクが噴射
されない不良ノズルの有無を調べる検査）を行った結果、例えば、カラーノズル列Ｃｏの
上流側のノズルが不良ノズルとして検出されたとする。このとき、下流側のノズルを使用
する第２通常カラーモードを選択することで、クリーニングを行わずに印刷を開始するこ
とができ、印刷時間を短縮できる。
【００４９】
その他、カラーノズル列Ｃｏに属するノズルの使用頻度を均等にして、ノズル寿命を長
くするために、例えば、表刷りモード（図６）が多く実施されている場合には、即ち、カ
ラーノズル列Ｃｏの下流側半分のノズルが多く使用されている場合には、カラー画像のみ
を印刷する際に、カラーノズル列Ｃｏの上流側ノズルを使用する第１通常カラーモード（
図４）を選択するようにしてもよい。逆に、裏刷りモードが多く実施されている場合（カ
ラーノズル列Ｃｏの上流側半分のノズルが多く使用されている場合）、カラーノズル列Ｃ
ｏの下流側ノズルを使用する第２通常カラーモードを選択してもよい。このように、カラ
ーノズル列Ｃｏに属するノズルの使用頻度を均等にすることで、ノズル寿命を長くするこ
とができ、また、長時間放置されるノズルがなくなるため、ノズル周辺のインクの増粘も
防止できる。
【００５０】
＝＝＝濃度むら補正値について＝＝＝
＜濃度むらについて＞
図８は、或るラスターラインが隣のラスターラインの濃度に影響を及ぼす例を示す図で
ある。ノズルの加工精度の問題によって、ノズルからのインク噴射量にばらつきが生じた
り、ノズルからのインク滴が飛行曲がりして理想的な位置に着弾しなかったりする場合、
画像に濃度むらが発生する。
【００５１】
例えば、図８では、２番目の列領域に形成されたラスターライン（ドット）は、ノズル
から噴射されたインク滴の飛行曲がりにより、３番目の列領域に寄って形成される。その
結果、２番目の列領域は淡く視認され、３番目の列領域は濃く視認される。一方、５番目
の列領域に噴射されたインク滴のインク量は規定量よりも少なく、５番目の列領域に形成
されるドットが小さくなっている。その結果、５番目の列領域は淡くなる。これが画像上
において濃度むらとなって現れる。そのため、淡く印刷される列領域は濃く印刷されるよ
うに補正し、濃く印刷される列領域は淡く印刷されるように補正することで、濃度むらを
抑制できる。
【００５２】
ただし、３番目の列領域が濃くなる理由は、３番目の列領域に割り当てられたノズルの
影響によるものではなく、隣接する２番目の列領域に割り当てられたノズルの影響による
ものである。このため、３番目の列領域に割り当てられたノズルが別の列領域にラスター
ラインを形成する場合、その列領域に形成される画像片が濃くなるとは限らない。つまり
、同じノズルにより形成された画像片であっても、隣接する画像片を形成するノズルが異
なれば、濃度が異なる場合がある。このような場合、単にノズルに対応付けた補正値では
、濃度むらを抑制することができない。そこで、本実施形態では、列領域ごとに濃度むら
補正値Ｈを設定する。
【００５３】
＜補正値Ｈの算出方法について＞
次に、列領域ごとの濃度むら補正値Ｈの算出方法について説明する。なお、補正値Ｈは
、プリンター１の製造工程やメンテナンス時に、プリンター１ごとに算出するとよい。こ
こでは、プリンター１に接続されたコンピューター６０にインストールされている補正値
取得プログラムに従って補正値Ｈが算出されるとする。また、画像データ上において移動
方向に対応する方向（Ｘ方向）に並ぶ画素の列「画素列」と、媒体上の「列領域」が対応
する。
【００５４】
図９は、シアンのテストパターンを示す図である。以下、第１通常カラーモード（図４
）のカラーノズル列Ｃｏ（＝ＹＭＣＫ）に関する補正値Ｈの算出例を示す。まず、補正値
取得プログラムは、プリンター１に、第１通常カラーモードにより、４色インクの各ノズ
ル列ＹＭＣＫ（＝カラーノズル列Ｃｏ）の搬送方向上流側の半分のノズルを使用して、テ
ストパターンを印刷させる。図９は、４色インクのノズル列ＹＭＣＫの中のシアンノズル
列Ｃによって形成されたテストパターンを示す図である。図９ではシアンのテストパター
ンだけを示すが、他のノズル列（ＹＭＫ）に関してもそれぞれテストパターンを印刷する
。即ち、色ごと（ノズル列ごと）に、列領域ごとの補正値Ｈを算出する。
【００５５】
テストパターンは３種類の濃度の帯状パターンから構成される。帯状パターンはそれぞ
れ一定の階調値の画像データから生成されたものである。帯状パターンを形成するための
階調値を指令階調値と呼び、濃度３０％の帯状パターンの指令階調値をＳａ（７６）、濃
度５０％の帯状パターンの指令階調値をＳｂ（１２８）、濃度７０％の帯状パターンの指
令階調値をＳｃ（１７９）と表す。
【００５６】
ところで、第１通常カラーモードでは、図４に示すように、３つの列領域ごとに規則性
が表れるので、列領域ごとの補正値Ｈを３個算出することになる。ゆえに、例えば、１つ
の補正値ＨにつきＮ個の列領域の結果に基づいて補正値Ｈを算出しようとする場合、テス
トパターンは３×Ｎ個のラスターライン（列領域）から構成されることになる。そのため
に、Ｎ回のパスでテストパターンを印刷する。
【００５７】
図１０は、シアンのテストパターンをスキャナーで読み取った結果である。以下、シア
ンの読取データを例に説明する。テストパターンを印刷した後、スキャナーにテストパタ
ーンを読み取らせる。そして、補正値取得プログラムは、スキャナーがテストパターンを
読み取った結果を取得する。次に、補正値取得プログラムは、読取データ上における画素
列と、テストパターンが形成された列領域とを、一対一で対応させる。その後、補正値取
得プログラムは、帯状パターンごとに、各列領域の濃度（読取階調値）を算出する。具体
的には、或る列領域に対応する画素列に属する画素のうち、或る指令階調値の帯状パター
ンに対応する画素の示す読取階調値を平均値化し、その平均値を或る列領域の或る指令階
調値の読取階調値とする。図１０のグラフでは、横軸を列領域番号とし、縦軸を各列領域
の読取階調値とする。
【００５８】
各帯状パターンは、それぞれの指令階調値で一様に形成されたにも関わらず、図１０に
示すように列領域ごとに読取階調値にばらつきが生じる。例えば、図１０のグラフにおい
て、ｉ列領域の読取階調値Ｃｂｉは他の列領域の読取階調値よりも比較的に低く、ｊ列領
域の読取階調値Ｃｂｊは他の列領域の読取階調値よりも比較的に高い。即ち、ｉ列領域は
淡く視認され、ｊ列領域は濃く視認される。このような各列領域の読取階調値のばらつき
が、印刷画像に発生する濃度むらである。
【００５９】
各列領域の読取階調値を一定の値に近づけることで、重複領域画像の淡さやノズルの加
工精度による濃度むらを改善できる。そこで、同一の指令階調値（例えばＳｂ・濃度５０
％）において、全列領域の読取階調値の平均値Ｃｂｔを、「目標値Ｃｂｔ」として設定す
る。そして、指令階調値Ｓｂにおける各列領域の読取階調値を目標値Ｃｂｔに近づけるよ
うに、各列領域に対応する画素列のデータ（階調値）を補正する。
【００６０】
具体的には、目標値Ｃｂｔよりも読取階調値の低い列領域ｉに対応する画素列の示す階
調値を、指令階調値Ｓｂよりも濃い階調値に補正する。一方、目標値Ｃｂｔよりも読取階
調値の高い列領域ｊに対応する画素列の示す階調値を、指令階調値Ｓｂよりも淡い階調値
に補正する。つまり、補正値取得プログラムは、同一の階調値に対して、全列領域の濃度
が一定の値に近づくように、各列領域に対応する画素列のデータ（階調値）を補正する補
正値Ｈを算出する。
【００６１】
図１１Ａ及び図１１Ｂは、濃度むら補正値Ｈの具体的な算出方法を示す図である。まず
、図１１Ａは目標値Ｃｂｔよりも読取階調値の低いｉ列領域において、指令階調値（Ｓｂ
）における目標指令階調値（Ｓｂｔ）を算出する様子を示す。横軸が階調値を示し、縦軸
がテストパターン結果における読取階調値を示す。グラフ上には、指令階調値（Ｓａ，Ｓ
ｂ，Ｓｃ）に対する読取階調値（Ｃａｉ，Ｃｂｉ，Ｃｃｉ）がプロットされている。指令
階調値Ｓｂに対してｉ列領域が目標値Ｃｂｔにて表されるための目標指令階調値Ｓｂｔは
次式（直線ＢＣに基づく線形補間）により算出される。  
Ｓｂｔ＝Ｓｂ＋｛（Ｓｃ−Ｓｂ）×（Ｃｂｔ−Ｃｂｉ）／（Ｃｃｉ−Ｃｂｉ）｝
【００６２】
同様に、図１１Ｂに示すように、目標値Ｃｂｔよりも読取階調値の高いｊ列領域におい
て、指令階調値Ｓｂに対してｊ列領域が目標値Ｃｂｔにて表されるための目標指令階調値
Ｓｂｔは次式（直線ＡＢに基づく線形補間）により算出される。  
Ｓｂｔ＝Ｓａ＋｛（Ｓｂ−Ｓａ）×（Ｃｂｔ−Ｃａｊ）／（Ｃｂｊ−Ｃａｊ）｝
【００６３】
こうして、指令階調値Ｓｂに対する各列領域の目標指令階調値Ｓｂｔが算出される。そ
の後、補正値取得プログラムは、次式により、各列領域の指令階調値Ｓｂに対するシアン
の補正値Ｈｂを算出する。同様にして、補正値取得プログラムは、他の指令階調値（Ｓａ
，Ｓｃ）に対する補正値、及び、他の色（イエロー，マゼンタ，ブラック）に対する補正
値も算出する。  
Ｈｂ＝（Ｓｂｔ−Ｓｂ）／Ｓｂ
図１２は、補正値テーブルを示す図である。上述のように算出した補正値Ｈを、補正値
取得プログラムは補正値テーブルにまとめる。補正値テーブルでは、列領域ごとに、３つ
の指令階調値（Ｓａ，Ｓｂ，Ｓｃ）にそれぞれ対応する補正値（Ｈａ，Ｈｂ，Ｈｃ）が設
定されている。最後に、補正値取得プログラムは、作成した補正値テーブルをプリンター
１のメモリー１３に記憶させる。その後、プリンター１はユーザーのもとへ出荷される。
【００６４】
なお、図示する補正値テーブルは、第１通常カラーモード（図４）に関する補正値テー
ブルである。そのため、第１通常カラーモードが実施される際に、例えば、列領域１に対
応する補正値Ｈは、図４の１，４，７番目…の列領域に形成されるラスターライン（Ｌ１
，Ｌ４，Ｌ７…）に対して使用され、列領域２に対応する補正値Ｈは、２，５，８番目…
の列領域に形成されるラスターライン（Ｌ２，Ｌ５，Ｌ８…）に対して使用され、列領域
３に対応する補正値Ｈは、３，６，９番目…の列領域に形成されるラスターライン（Ｌ３
，Ｌ６，Ｌ９…）に対して使用される。
【００６５】
＜濃度補正処理について＞
ユーザーは、プリンター１の使用開始時に、プリンター１に接続するコンピューター６
０にプリンタードライバーをインストールする。そうすると、プリンタードライバーはプ
リンター１に対してメモリー１３に記憶されている補正値テーブルをコンピューター６０
に送信するように要求する。プリンタードライバーは、プリンター１から送信された補正
値テーブルをコンピューター６０内のメモリーに記憶する。
【００６６】
プリンタードライバーは、各種アプリケーションプログラムから印刷指令および画像デ
ータを受信すると、プリンター１が印刷を実施するための印刷データを作成する。まず、
プリンタードライバーは、解像度変換処理により、アプリケーションプログラムからの画
像データの解像度を、印刷解像度に変換する。次に、プリンタードライバーは、色変換処
理により、ＲＧＢデータである画像データを、印刷に使用するインクの色に対応したＹＭ
ＣＫデータに変換する。その後、プリンタードライバーは、列領域ごと、色ごと、指令階
調値ごとの補正値Ｈにより、各画素の示す階調値（例えば２５６階調値）を補正する。
【００６７】
画素の示す補正前の階調値Ｓ_ｉｎが指令階調値のいずれかＳａ,Ｓｂ,Ｓｃと同じであ
れば、補正値テーブルの補正値Ｈａ,Ｈｂ,Ｈｃをそのまま用いることができる。例えば、
補正前の階調値Ｓ_ｉｎ＝Ｓｃであれば、補正後の階調値Ｓ_ｏｕｔは次式により求められ
る。
【００６８】
Ｓ_ｏｕｔ＝Ｓｃ×（１＋Ｈｃ）
【００６９】
図１３は、シアンのｎ番目の列領域に関して各階調値に対応した補正値Ｈを算出する様
子を示す図である。横軸は補正前の階調値Ｓ_ｉｎを示し、縦軸は補正前の階調値Ｓ_ｉｎ
に対応する補正値Ｈ_ｏｕｔを示す。プリンタードライバーは、補正前の階調値Ｓ_ｉｎが
指令階調値と異なる場合、補正前の階調値Ｓ_ｉｎに応じた補正値Ｈ_ｏｕｔを算出する。
例えば、図１３に示すように補正前の階調値Ｓ_ｉｎが指令階調値ＳａとＳｂの間であ
るとき、プリンタードライバーは、指令階調値Ｓａの補正値Ｈａと指令階調値Ｓｂの補正
値Ｈｂの線形補間によって次式により補正値Ｈ_ｏｕｔを算出する。  
Ｈ_ｏｕｔ＝Ｈａ＋｛（Ｈｂ−Ｈａ）×（Ｓ_ｉｎ−Ｓａ）／（Ｓｂ−Ｓａ）｝
Ｓ_ｏｕｔ＝Ｓ_ｉｎ×（１＋Ｈ_ｏｕｔ）
【００７０】
なお、補正前の階調値Ｓ_ｉｎが指令階調値Ｓａよりも小さい場合には、最低階調値０
と指令階調値Ｓａの線形補間により補正値Ｈ_ｏｕｔを算出し、補正前の階調値Ｓ_ｉｎが
指令階調値Ｓｃよりも大きい場合には、最高階調値２５５と指令階調値Ｓｃの線形補間に
よって補正値Ｈ_ｏｕｔを算出する。
【００７１】
こうして、プリンタードライバーは、色（ＹＭＣＫ）ごと、列領域ごと、階調値ごとに
設定される補正値Ｈによって、画像データを構成する各画素の示す階調値Ｓ_ｉｎ（２５
６階調データ）を補正する。そうすることで、濃度が淡く視認される列領域に対応する画
素の階調値Ｓ_ｉｎは濃い階調値Ｓ_ｏｕｔに補正され、濃度が濃く視認される列領域に対
応する画素の示す階調値Ｓ_ｉｎは淡い階調値Ｓ_ｏｕｔに補正される。
【００７２】
このような濃度補正処理後、プリンタードライバーは、ハーフトーン処理によって、高
い階調数（２５６階調）のデータを、プリンター１が形成可能な低い階調数のデータ（ド
ットのＯＮ・ＯＦＦを示すデータ）に変換する。最後に、プリンタードライバーは、ラス
タライズ処理にて、マトリクス状の画像データをプリンター１に転送すべき順にデータご
とに並べ替える。プリンタードライバーは、これらの処理を経た印刷データを、コマンド
データ（印刷指令、印刷モードなど）と共に、プリンター１に送信する。プリンター１は
、受信した印刷データに基づいて、印刷を実行する。
【００７３】
＝＝＝表刷りモードと裏刷りモードの補正値Ｈについて＝＝＝
＜実施例１＞
図１４は、印刷モードによって濃度むら補正値を共通化する様子を示す図である。前述
の補正値算出方法によって、図１２に示すように第１通常カラーモードに関する補正値テ
ーブルが作成される。同様に、本実施形態では、第２通常カラーモードに関する補正値テ
ーブルも作成する。図９では第１通常カラーモードによりカラーノズル列Ｃｏ（シアンノ
ズル列Ｃ）の搬送方向上流側の半分のノズルによってテストパターンを形成している。こ
れに対して、第２通常カラーモードに関する補正値Ｈを算出するためには、第２通常カラ
ーモードによりカラーノズル列Ｃｏの搬送方向下流側の半分のノズルによってテストパタ
ーンを形成する。なお、第２通常カラーモードにおいても、図５に示すように、３つの列
領域ごとに規則性が表れるので、列領域ごとの補正値Ｈを３個算出することになる。
【００７４】
ここで、以下の説明のため、第１通常カラーモードにより算出した補正値、即ち、カラ
ーノズル列Ｃｏの搬送方向上流側の半分のノズルに関する補正値を、「第１補正値Ｈ（１
）」と呼び、第２通常カラーモードにより算出した補正値、即ち、カラーノズル列Ｃｏの
搬送方向下流側の半分のノズルに関する補正値を、「第２補正値Ｈ（２）」と呼ぶ。
【００７５】
本実施形態のプリンター１は、２つの通常カラーモードの他に、表刷りモードと裏刷り
モードを実施することができる。ここまで、第１通常カラーモードに関する第１補正値Ｈ
（１）と、第２通常カラーモードに関する第２補正値Ｈ（２）を算出すると説明している
。仮に、表刷りモード、及び、裏刷りモードによって、それぞれテストパターンを印刷し
、表刷りモードに関する補正値、及び、裏刷りモードに関する補正値を算出したとする。
そして、全印刷モード（４種類）に関する補正値Ｈをプリンター１のメモリー１３に記憶
させるとすると、メモリー容量が多くなってしまう。
【００７６】
そこで、本実施形態では、複数の印刷モードを実施するプリンターであっても、濃度む
ら補正値Ｈを記憶するメモリー容量を出来る限り少なくすることを目的とする。そのため
に、実施例１では、２つの通常カラーモードに関する補正値Ｈ（１），Ｈ（２）と、表刷
りモードおよび裏刷りモードに関する補正値を共通化する。
【００７７】
図１４に示すように、第１通常カラーモードにより算出した第１補正値Ｈ（１）を、第
１通常カラーモードにてカラー画像を印刷する画像データにも適用し、裏刷りモードにて
カラー画像を印刷する画像データにも適用する。これは、図示するように、第１通常カラ
ーモードにおいても、裏刷りモードにおいても、カラーノズル列Ｃｏの搬送方向上流側の
半分の同じノズル（＃１０〜＃１８）を用いて、カラー画像を印刷するからである。
【００７８】
更に、図４及び図７に示すように、第１通常カラーモードにおいても裏刷りモードにお
いても、１回の搬送動作における搬送量３ｄが一定である。このように、印刷モードが異
なったとしても、同じカラーノズル列Ｃｏの同じノズル（同じ位置・同じ数のノズル）を
使用し、同じ搬送量で媒体を搬送することで、規則性のある列領域の数（ここでは３個）
、及び、規則性のある列領域にそれぞれ割り当てられたノズルが等しくなる。即ち、第１
通常カラーモードと裏刷りモードにおいて、ある列領域に割り当てられたノズル、及び、
その列領域と隣接する列領域に割り当てられたノズルが等しくなる。つまり、濃度むらの
原因となるノズル（列領域自身、及び、隣接する列領域に各々割り当てられたノズル）の
規則性が等しいため、第１通常カラーモードと裏刷りモードにおいて、列領域ごとの濃度
むら補正値Ｈを共通化しても問題はない。
【００７９】
具体的には、第１通常カラーモードにおいても、裏刷りモードにおいても、図４及び図
７に示すように、カラーノズル列Ｃｏのノズル＃１６，＃１３，＃１０が割り当てられる
列領域と、ノズル＃１７，＃１４，＃１１が割り当てられる列領域と、ノズル＃１８，＃
１５，＃１２が割り当てられる列領域と、が搬送方向に順に並ぶ。ゆえに、第１通常カラ
ーモードと裏刷りモードにおいて、列領域ごとの濃度むら補正値Ｈを共通化する。
【００８０】
同様に、図１４に示すように、第２通常カラーモードにより算出した第２補正値Ｈ（２
）を、第２通常カラーモードにてカラー画像を印刷する画像データにも適用し、表刷りモ
ードにてカラー画像を印刷する画像データにも適用する。まず、図１４に示すように、第
２通常カラーモードにおいても、表刷りモードにおいても、カラーノズル列Ｃｏの搬送方
向下流側の半分の同じノズル（＃１〜＃９）を用いて、カラー画像を印刷する。更に、図
５及び図６に示すように、第２通常カラーモードにおいても表刷りモードにおいても、１
回の搬送動作における搬送量３ｄが一定である。
【００８１】
そのため、第２通常カラーモードにおいても表刷りモードにおいても、規則性のある列
領域の数（ここでは３個）、及び、規則性のある列領域にそれぞれ割り当てられたノズル
が等しくなる。具体的には、第２通常カラーモードにおいても、表刷りモードにおいても
、図５及び図６に示すように、カラーノズル列Ｃｏのノズル＃７，＃４，＃１が割り当て
られる列領域と、ノズル＃８，＃５，＃２が割り当てられる列領域と、ノズル＃９，＃６
，＃３が割り当てられる列領域と、が搬送方向に順に並ぶ。ゆえに、第２通常カラーモー
ドと表刷りモードにおいて、列領域ごとの濃度むら補正値Ｈを共通化しても問題はない。
【００８２】
図１５は、通常カラーモードの比較例の印刷方法を示す図である。媒体上にカラー画像
のみを印刷する場合（通常カラーモードにおいて）、図示するように、カラーノズル列Ｃ
ｏに属する全ノズル（＃１〜＃１８）を使用して画像を印刷することは可能である。この
比較例の印刷方法においても、オーバーラップ印刷を実施し、１つのラスターラインが３
回のパス（３種類のノズル）で完成するとした。そうすると、比較例では、カラー画像を
形成するノズル数が１８個となるため、１回の搬送動作における搬送量はノズルピッチｄ
の６倍の長さ６ｄとなる。
【００８３】
その結果、本実施形態の表刷りモード（図６）及び裏刷りモード（図７）では、３個の
列領域ごとに周期性が発生するのに対して、比較例の印刷方法では、６個の列領域ごとに
周期性が発生する。また、比較例の印刷方法では、表刷りモード又は裏刷りモードにおけ
る或る列領域に割り当てられるノズルと同じノズルが割り当てられる列領域は存在しない
。例えば、表刷りモードの１番目の列領域には（図６）、カラーノズル＃７，＃４，＃１
が割り当てられるが、比較例の印刷方法において（図１５）、カラーノズル＃７，＃４，
＃１が割り当てられる列領域は存在しない。そのため、比較例の印刷方法と、表刷りモー
ド又は裏刷りモードとにおいて、列領域ごとの補正値Ｈを共通化することは出来ない。
【００８４】
このように、比較例の印刷方法と、表刷りモード又は裏刷りモードとでは、カラーノズ
ル列Ｃｏの噴射ノズル数（噴射ノズルの位置）が異なり、また、１回の搬送動作における
搬送量が異なる。そのため、同じノズルが割り当てられる列領域が存在せず、列領域ごと
の補正値Ｈを共通化することができない。
【００８５】
また、カラー画像のみを印刷する通常カラーモードと、表刷りモード又は裏刷りモード
とにおいて、噴射ノズル数および噴射ノズルの位置が等しくとも、１回の搬送動作におけ
る搬送量が異なると（不図示）、通常モードと表刷りモード又は裏刷りモードとにおいて
、同じノズルが割り当てられる列領域が存在しないため、列領域ごとの補正値を共通化す
ることができない。
【００８６】
つまり、通常カラーモード（媒体上にカラー画像のみを印刷するモード）と、カラー画
像と共に背景画像を印刷するモードと、において、カラーノズル列Ｃｏの同じノズル（同
じ位置・同じ数のノズル）を使用し、且つ、１回の搬送動作における搬送量（所定の搬送
量に相当）を同じにすることによって、列領域ごとの濃度むら補正値Ｈを共通化すること
ができる。
【００８７】
そうすることで、全印刷モード（４種類）に関する濃度むら補正値Ｈをプリンター１の
メモリー１３に記憶する場合に比べて、メモリー容量を少なくすることができる。また、
プリンターの製造工程やメンテナンス時に、全印刷モードに関する補正値Ｈを算出する必
要が無くなるため、補正値算出処理の時間を短縮することができる。
【００８８】
また、通常カラーモードでは、カラーノズル列Ｃｏに属する全ノズルを使用することは
可能であるが、表刷りモード及び裏刷りモードと同様に半分のノズルしか使用しないこと
で、通常カラーモードと表刷りモード又は裏刷りモードとにおいて、列領域ごとの濃度む
ら補正値Ｈを共通化することができる。更に、前述のように、通常カラーモードにおいて
、カラーノズル列Ｃｏに属する半分のノズルだけを使用することで、カラーノズル列Ｃｏ
に属するノズルを均等に使用することができ、ノズル周辺のインク増粘も防止できる。
【００８９】
なお、ホワイトノズル列Ｗに関しても、列領域ごと、階調値ごとの濃度むら補正値Ｈを
算出するとよい。また、ここまで、カラー画像を４色のインク（ＹＭＣＫ）で形成すると
しているが、これに限らず、色再現性を高めるために４色のインク（ＹＭＣＫ）に白イン
ク（Ｗ）を加えて、カラー画像を印刷してもよい。このとき、ホワイトノズル列Ｗに関し
ても、図４に示す第１通常カラーモードによって算出した補正値（上流側ノズル（＃１０
〜＃１８）用の補正値）を、図６の表刷りモードの補正値と共通化し、図５に示す第２通
常カラーモードによって算出した補正値（下流側ノズル（＃１〜＃９）用の補正値）を、
図７の裏刷りモードの補正値と共通化してもよい。
【００９０】
なお、本実施形態では、プリンター１に接続されたコンピューター６０内のプリンター
ドライバーが画像データの補正処理を実施するため、プリンタードライバーがインストー
ルされたコンピューター６０とプリンター１が接続された印刷システムが印刷装置に相当
し、コンピューター６０とプリンター１のコントローラー１０が制御部に相当する。ただ
し、これに限らず、プリンター１のコントローラー１０が画像データの補正処理を実施す
る場合もあり、この場合にはプリンター１単体が印刷装置に相当し、コントローラー１０
が制御部に相当する。
【００９１】
＜実施例２＞
図１６Ａは、印刷モードの違いによるカラー画像の下地の違いを説明する図であり、図
１６Ｂは、下地が異なることを考慮して共通化した濃度むら補正値Ｈを示す表である。図
１６Ａに示すように、通常カラーモード（第１通常カラーモード・第２通常カラーモード
）では、媒体上にカラー画像のみを印刷するため、カラー画像の下地は「媒体」となる。
同様に、裏刷りモードでは、媒体上に、まず、カラー画像を印刷し、カラー画像上に背景
画像を印刷するため、カラー画像の下地は「媒体」となる。一方、表刷りモードでは、媒
体上に、まず、背景画像を印刷し、背景画像上にカラー画像を印刷するため、カラー画像
の下地は「インク（背景画像）」となる。このように、印刷モードによって、カラー画像
を形成する際の下地が異なる。媒体上にカラー画像を印刷した場合と、インク上（画像上
）にカラー画像を印刷した場合とでは、インクの滲み方などの違いが影響し、濃度むら補
正値Ｈによる補正効果も若干異なってくる。
【００９２】
そこで、実施例２では、図１６Ｂに示すように、カラー画像の下地に応じて、共通化す
る濃度むら補正値Ｈに「係数Ｃｉ（第１係数）」を乗じて、濃度補正処理を行う。第１通
常カラーモードと裏刷りモードでは、カラー画像の下地が共に「媒体」であるため、係数
Ｃｉを乗じることなく、同じ第１補正値Ｈ（１）によって、濃度補正処理を行う。これに
対して、第２通常カラーモードと表刷りモードではカラー画像の下地が異なるため係数Ｃ
ｉを用いる。本実施形態では、第２通常カラーモードによって第２補正値Ｈ（２）を算出
するとしている。即ち、媒体上に形成されたテストパターンにより算出した第２補正値Ｈ
（２）を、下地がインクである表刷りモードのカラー画像に対しても適用しようとしてい
る。そのため、図１６Ｂに示すように、第２通常カラーモードにて印刷するカラー画像の
データは、第２補正値Ｈ（２）をそのまま利用し、表刷りモードにて印刷するカラー画像
のデータは、第２補正値Ｈ（２）に係数Ｃｉを乗じた補正値「Ｃｉ×Ｈ（２）」を利用す
る。そうすることで、カラー画像の下地に関係なく、濃度むらの補正効果が得られる。
【００９３】
なお、第２通常カラーモードと表刷りモードではカラー画像の下地が異なるが、前述の
第１実施例では、第２通常カラーモードと表刷りモードの補正値を共通化している（その
まま適用している）。その結果、メモリーの記憶容量を少なくしている。ただし、カラー
画像が背景画像上に形成されるのか、媒体上に形成されるのかによって、補正効果が異な
ってくる。そこで、実施例１のように画像の下地に関係なく同じ補正値を使用する場合に
は、例えば、第２通常カラーモードによるテストパターンに基づく補正値と、表刷りモー
ドによるテストパターンに基づく補正値の平均値を、共通の補正値として、プリンターに
記憶させてもよい。第２通常カラーモードによるテストパターンは媒体上に形成したテス
トパターンであり、表刷りモードによるテストパターンは白インクの背景画像上に形成し
たテストパターンである。こうすることで、一方の印刷モード（例：下地が媒体の印刷モ
ード）の補正効果は高いが、他方の印刷モード（例：下地がインクの印刷モード）の補正
効果が低くなってしまうことを防止できる。
【００９４】
また、実施例２においても、第２通常カラーモードによるテストパターンに基づく補正
値と、表刷りモードによるテストパターンに基づく補正値の平均値を、共通の補正値とし
てもよく、その補正値に更に係数Ｃｉを乗算することによって、より補正効果を得ること
が出来る。
【００９５】
＜実施例３＞
図１７は、媒体の種類に応じた濃度むら補正値Ｈに対する補正係数Ｃｓを示す図である
。本実施形態のプリンター１では、媒体として、フィルム、普通紙、光沢紙、マット紙を
使用可能とした。前述の実施例２において、カラー画像の下地がインクであるか媒体であ
るかによって、補正値Ｈの補正効果が若干異なってくると説明した。また、媒体の種類に
よっても、インクの吸収性や地色などの違いによって、補正効果が若干異なってくる。
【００９６】
そこで、実施例３では、図１７に示すように、カラー画像を印刷する媒体の種類に応じ
て、濃度むら補正値Ｈに「補正係数Ｃｓ（第２係数に相当）」を乗じて、濃度補正処理を
行う。例えば、図９に示すテストパターンをフィルムで形成したとする。その場合、カラ
ー画像を形成する媒体がフィルムである場合には、濃度むら補正値Ｈをそのまま使用する
。ゆえに、フィルムに対する補正係数Ｃｓは「１」となる。これに対して、フィルム以外
の媒体である普通紙、光沢紙、マット紙にカラー画像を形成する場合には、濃度むら補正
値Ｈに補正係数Ｃｓ（１）〜Ｃｓ（３）をそれぞれ乗算した補正値「Ｃｓ×Ｈ」を使用す
る。その結果、媒体の種類に関係なく濃度むら補正効果が得られる。
【００９７】
そのために、媒体に応じた補正係数Ｃｓの表（図１７）を、プリンター１のメモリー１
３などに記憶させておくとよい。そして、プリンタードライバーは、印刷データ作成中の
濃度補正処理に際し、まず、カラー画像を、媒体上に形成するのか、それとも、背景画像
上（インク上）に形成するのか、を判断する。プリンタードライバーは、カラー画像を媒
体上に形成すると判断すると（即ち、通常カラーモード又は裏刷りモードであれば）、媒
体の種類に応じて補正係数Ｃｓを乗算した補正値「Ｃｓ×Ｈ」によって、画像データ（２
５６階調値）を補正する。一方、プリンタードライバーは、背景画像上にカラー画像を印
刷すると判断すると（即ち、表刷りモードであれば）、図１６Ｂに示す係数Ｃｉ（下地が
インクであるときの係数Ｃｉ）を乗算した補正値「Ｃｉ×Ｈ」によって、画像データを補
正する。ただし、これに限らず、表刷りモードの際に、下地がインクであるときの係数Ｃ
ｉと、媒体の種類に応じた補正係数Ｃｓの両方を、補正値Ｈに乗算してもよい。
【００９８】
＜変形例＞
前述の実施例では、媒体にカラー画像のみを形成する「通常カラーモード」に関して、
搬送方向上流側のノズルを使用する第１通常カラーモード（図４）と、搬送方向下流側の
ノズルを使用する第２通常カラーモード（図５）を、選択して実行するとしているが、こ
れに限らず、どちらか一方の通常カラーモードだけを実施できるプリンターであってもよ
い。
【００９９】
例えば、第１通常カラーモードだけを実施するプリンターでは、第１通常カラーモード
と裏刷りモードの補正値Ｈを共通化できる。この場合、２種類の補正値を記憶すればよく
、３種類の全ての印刷モード（第１通常カラーモード、表刷りモード、裏刷りモード）に
関して補正値Ｈをメモリーさせる場合に比べて、メモリー容量を少なくすることができる
。逆に、第２通常カラーモードだけを実施するプリンターでは、第２通常カラーモードと
表刷りモードの補正値Ｈを共通化できる。
【０１００】
また、いずれか一方の通常カラーモードだけを実施する場合、第１通常カラーモードを
実施するようにすると、裏刷りモードの補正値Ｈと共通化でき、カラー画像の下地を共に
媒体にすることができる。そして、表刷りモードは専用の補正値Ｈとなるため、背景画像
上にテストパターン（図９）を形成し、補正値Ｈを算出するとよい。そうすると、補正値
Ｈに係数Ｃｉ（下地がインクであるときの係数）を乗じる必要がなくなる。
【０１０１】
前述の実施例では、通常カラーモードでテストパターンを形成して算出した補正値Ｈを
、表刷りモードまたは裏刷りモードに適用しているが、これに限らない。逆に、表刷りモ
ード及び裏刷りモードで形成したテストパターン（背景画像と共に形成されたテストパタ
ーン）により算出した補正値Ｈを、通常カラーモードに適用してもよい。表刷りモードと
第２通常カラーモードでは媒体の下地が異なるため、この場合には、表刷りモードで算出
した補正値に係数を乗算した補正値を、第２通常カラーモードにて適用するとよい。また
、通常カラーモードで形成したテストパターンにより算出した補正値Ｈと、裏刷りモード
又は表刷りモードで形成したテストパターンにより算出した補正値Ｈとの平均値を、共通
の補正値Ｈとしてもよい。
【０１０２】
前述の実施例では、図１３に示すように階調値ごと（インクの打ち込み量ごと）の補正
値Ｈにて濃度補正処理を行うために、図９に示すように３種類の濃度の帯状パターンから
構成されるテストパターンを形成し、３種類の階調値に応じた３種類の補正値Ｈａ，Ｈｂ
，Ｈｃを算出しているが、これに限らない。例えば、階調値に関係なく、１つの列領域に
対して共通の補正値Ｈを使用するようにしてもよい。この場合、１つの帯状パターンをテ
ストパターンとして形成すればよい。また、本実施形態によれば、複数の階調値に応じた
補正値を記憶するとしても、通常カラーモードと、表刷りモード又は裏刷りモードと、に
おいて補正値を共通化できるため、メモリー容量を出来る限り抑えることができる。
【０１０３】
＝＝＝その他の実施の形態＝＝＝
上記の各実施形態は、主としてインクジェットプリンターを有する印刷システムについ
て記載されているが、濃度むら補正方法等の開示が含まれている。また、上記の実施形態
は、本発明の理解を容易にするためのものであり、本発明を限定して解釈するためのもの
ではない。本発明は、その趣旨を逸脱することなく、変更、改良され得ると共に、本発明
にはその等価物が含まれることはいうまでもない。特に、以下に述べる実施形態であって
も、本発明に含まれるものである。
【０１０４】
＜端部処理について＞
前述の実施形態では、例えば、図４〜図７に示すように印刷の開始時において（不図示
であるが印刷終了時においても）、通常印刷時と同様に、カラーノズル列Ｃｏの噴射ノズ
ルを固定しているが（搬送方向上流側または下流側の半分のノズルを使用しているが）、
これに限らない。例えば、通常印刷時には搬送方向上流側の半分のカラーノズルを使用す
るが（図４・図７）、印刷開始時には下流側のカラーノズルを使用してもよい。逆に、通
常印刷時には搬送方向下流側の半分のカラーノズルを使用するが（図５・図６）、印刷終
了時には上流側のカラーノズルを使用してもよい。このように、媒体端部の印刷時に噴射
ノズルを変動させる場合には、端部処理を施したテストパターンを印刷し、通常印刷時の
補正値Ｈとは別に、上端印刷時および下端印刷時の補正値Ｈを算出するとよい。端部の補
正値Ｈに関しても、異なる印刷モードにおいて共通化できる場合には、共通化するとよい
。
【０１０５】
＜印刷方法について＞
前述の実施形態では、オーバーラップ印刷を例に挙げているがこれに限らない。他の印
刷方法、例えば、インターレース印刷のようにノズルピッチ間隔で並ぶラスターラインの
間に異なるパスにて複数のラスターラインを形成する印刷方法や、バンド印刷などであっ
てもよい。
【０１０６】
＜背景画像とカラー画像について＞
前述の実施形態では、白インクのみによって背景画像を印刷するとしているが、これに
限らない。背景画像の色味を変えるために、白インクにカラーインク（例えばシアンイン
ク）を混ぜて背景画像を印刷してもよい。この場合、例えば、図６に示す表刷りモードで
は、カラーノズル列Ｃｏの搬送方向下流側のノズル（＃１〜＃９）はカラー画像の印刷に
使用され、搬送方向上流側のノズル（＃１０〜＃１８）は背景画像の色味を変えるために
使用される。このとき、カラー画像のデータを第２通常カラーモード（図５）の補正値Ｈ
により補正し、背景画像の調色用データを第１通常カラーモード（図４）の補正値Ｈによ
り補正するとよい。
【０１０７】
＜印刷装置について＞
インクの噴射方式は、駆動素子（ピエゾ素子）に電圧をかけて、インク室を膨張・収縮
させることにより流体を噴射するピエゾ方式でもよいし、発熱素子を用いてノズル内に気
泡を発生させ、その気泡によって液体を噴射させるサーマル方式でもよい。  
また、ヘッド４１から噴射するインクは、紫外線を照射すると硬化する紫外線硬化型イ
ンクであってもよい。この場合、紫外線硬化型インクを噴射するヘッドと紫外線硬化型イ
ンクに紫外線を照射する照射器をキャリッジ３１に搭載するとよい。
【符号の説明】
【０１０８】
１  プリンター、１０  コントローラー、１１  インターフェース部、
１２  ＣＰＵ、１３  メモリー、１４  ユニット制御回路、
２０  搬送ユニット、２１  給紙ローラー、２２  搬送ローラー、２３  排出ローラー、
３０  キャリッジユニット、３１  キャリッジ、
４０  ヘッドユニット、４１  ヘッド、
５０  検出器群、６０  コンピューター
【図１】
2011051110.tif 000003
【図２】
2011051110.tif 000004
【図３】
2011051110.tif 000005
【図４】
2011051110.tif 000006
【図５】
2011051110.tif 000007
【図６】
2011051110.tif 000008
【図７】
2011051110.tif 000009
【図８】
2011051110.tif 000010
【図１０】
2011051110.tif 000011
【図１１】
2011051110.tif 000012
【図１２】
2011051110.tif 000013
【図１３】
2011051110.tif 000014
【図１４】
2011051110.tif 000015
【図１５】
2011051110.tif 000016
【図１６】
2011051110.tif 000017
【図１７】
2011051110.tif 000018
【図９】
2011051110.tif 000019